(57)【特許請求の範囲】
【請求項１】
各部に電源電圧を供給する電池と、
前記電池の電圧値を検出する電圧値検出手段と、
所定期間内における前記電圧値の減少率に基づき、前記電圧値が第一の電圧値になった時から前記第一の電圧値より小さい第二の電圧値になるまでの減少時間を算出する減少時間算出手段と、
前記電圧値が前記第一の電圧値になった時の時刻から、前記減少時間算出手段が算出した前記減少時間が経過する減少予定時刻よりも所定時間前に、所定の通知を行う予定時刻通知手段と、
前記減少時間算出手段により算出された減少時間を取得する減少時間取得手段と、を有し、
前記減少時間取得手段は、
継続して減少時間の取得が行われる期間として設定された減少時間取得期間内において取得した全ての減少時間の平均値を求め、前記減少時間の平均値を前記予定時刻通知手段へ供給することを特徴とする携帯端末装置。
【請求項２】
各部に電源電圧を供給する電池と、
前記電池の電圧値を検出する電圧値検出手段と、
少なくとも二段階以上設けられた残量レベルに基づき、前記電圧値検出手段により検出された電圧値に対応する残量レベルを取得する残量レベル取得手段と、
所定期間内における前記電圧値の減少率に基づき、前記残量レベルが、第一の残量レベルになった時から、前記第一の残量レベルよりも低い残量を表す第二の残量レベルへ遷移した時までの減少時間を算出する減少時間算出手段と、
前記残量レベルが、前記第一の残量レベルになった時の時刻から、前記減少時間算出手段が算出した前記減少時間が経過する減少予定時刻よりも所定時間前に、所定の通知を行う予定時刻通知手段と、
前記減少時間算出手段により算出された減少時間を取得する減少時間取得手段と、を有し、
前記減少時間取得手段は、
継続して減少時間の取得が行われる期間として設定された減少時間取得期間内において取得した全ての減少時間の平均値を求め、前記減少時間の平均値を前記予定時刻通知手段へ供給することを特徴とする携帯端末装置。
【請求項３】
前記第一の残量レベルになった時から、前記第二の残量レベルへ遷移した時までの時間を計測する減少時間計測手段をさらに備え、
前記減少時間計測手段により計測された前記時間を減少時間とすることを特徴とする請求項２記載の携帯端末装置。
【請求項４】
前記予定時刻通知手段は、
前記減少時間のうちあらかじめ設定された期間内において最短である前記減少時間に基づき、前記所定の通知を行うことを特徴とする請求項２記載の携帯端末装置。
【請求項５】
表示手段をさらに備え、
前記所定の通知は、前記電池の電圧値が前記第一の残量レベルから第二の残量レベルへ遷移する減少予定時刻を前記表示手段に表示することにより行われることを特徴とする請求項２記載の携帯端末装置。
【請求項６】
前記予定時刻通知手段により前記所定の通知がなされた後、前記電圧値検出手段により検出された前記電池の電圧値が増加しない場合、
前記予定時刻通知手段は、前記所定の通知を再度行うことを特徴とする請求項２記載の携帯端末装置。
【請求項７】
前記予定時刻通知手段により通知された前記減少予定時刻までに前記電圧値検出手段により検出された電池の電圧値が増加しない場合、
前記減少予定時刻が経過したことを通知する時刻経過通知手段をさらに備えたことを特徴とする請求項２記載の携帯端末装置。
【発明の詳細な説明】
【技術分野】
【０００１】
本発明は、携帯端末装置に係り、特に電池の推奨充電時期を好適に通知する携帯端末装置に関する。
【背景技術】
【０００２】
携帯電話機などの携帯端末装置は、電池の充電や交換が困難な移動時や外出時に携帯されて使用される。このため、外出時などに電池の残量が不足し使用不可能な状態となることを回避するため、電池の充電や交換時期の目処があらかじめユーザに通知されることが望ましい。
【０００３】
従来の携帯端末装置には、電池の残量を示すアイコンなどがディスプレイに表示されるようになっている。携帯端末装置は、このアイコンを表示することにより電池の残量を示すことで、ユーザに対して間接的に電池の充電時期の通知を行っている。
【０００４】
また、残量に応じた電池の充電時期や使用可能時間をユーザに対して直接的に通知する携帯端末装置が開示されている（例えば、特許文献１参照）。
【特許文献１】特開２００７−１６６００２号公報
【発明の開示】
【発明が解決しようとする課題】
【０００５】
携帯端末装置に備えられた充電式の電池は、電池の経年劣化により電池の残量レベルの低下時期が異なる。また、携帯端末装置の使用環境や使用頻度についても、ユーザの生活環境に応じて異なるため、電池の残量の低下時期は個々の携帯端末装置ごとに異なる。さらに、同一ユーザにより使用される携帯端末装置であったとしても、ユーザの生活環境が変化した場合には、電池の残量の低下時期は変動する場合がある。
【０００６】
特許文献１などに開示された従来の携帯端末装置に備えられた充電時期の通知方法は、携帯端末装置個々の電池の残量の低減時期を考慮した上で、電池の適切な充電時期を通知するものではなかった。また、電池の残量レベルが突然下がることを防止するため、充電が可能な環境においては、ユーザは常に充電の必要性を意識しなければならなかった。
【０００７】
本発明はこのような事情を考慮してなされたもので、携帯端末装置の個々の使用状況に応じた充電時期を好適に通知することができる携帯端末装置を提供することを目的とする。
【課題を解決するための手段】
【０００８】
本発明に係る携帯端末装置は、上述した課題を解決するために、各部に電源電圧を供給する電池と、前記電池の電圧値を検出する電圧値検出手段と、所定期間内における前記電圧値の減少率に基づき、前記電圧値が第一の電圧値になった時から前記第一の電圧値より小さい第二の電圧値になるまでの減少時間を算出する減少時間算出手段と、前記電圧値が前記第一の電圧値になった時の時刻から、前記減少時間算出手段が算出した前記減少時間が経過する減少予定時刻よりも所定時間前に、所定の通知を行う予定時刻通知手段と、前記減少時間算出手段により算出された減少時間を取得する減少時間取得手段と、を有し、前記減少時間取得手段は、継続して減少時間の取得が行われる期間として設定された減少時間取得期間内において取得した全ての減少時間の平均値を求め、前記減少時間の平均値を前記予定時刻通知手段へ供給することを特徴とする。
【０００９】
また、本発明に係る携帯端末装置は、各部に電源電圧を供給する電池と、前記電池の電圧値を検出する電圧値検出手段と、少なくとも二段階以上設けられた残量レベルに基づき、前記電圧値検出手段により検出された電圧値に対応する残量レベルを取得する残量レベル取得手段と、所定期間内における前記電圧値の減少率に基づき、前記残量レベルが、第一の残量レベルになった時から、前記第一の残量レベルよりも低い残量を表す第二の残量レベルへ遷移した時までの減少時間を算出する減少時間算出手段と、前記残量レベルが、前記第一の残量レベルになった時の時刻から、前記減少時間算出手段が算出した前記減少時間が経過する減少予定時刻よりも所定時間前に、所定の通知を行う予定時刻通知手段と、前記減少時間算出手段により算出された減少時間を取得する減少時間取得手段と、を有し、前記減少時間取得手段は、継続して減少時間の取得が行われる期間として設定された減少時間取得期間内において取得した全ての減少時間の平均値を求め、前記減少時間の平均値を前記予定時刻通知手段へ供給することを特徴とする。
【発明の効果】
【００１０】
本発明に係る携帯端末装置は、携帯端末装置の個々の使用状況に応じた充電時期を好適に通知することができる。
【発明を実施するための最良の形態】
【００１１】
本発明に係る携帯端末装置の実施形態を添付図面に基づいて説明する。図１は、本発明に係る携帯端末装置の一例である折りたたみ式の携帯電話機の外観の構成を示す図である。なお、図１（Ａ）は、携帯電話機１を約１８０度に開いた開状態のときの正面から見た外観の構成を表しており、図１（Ｂ）は、携帯電話機１を開状態としたときの側面から見た外観の構成を表している。
【００１２】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１３】
第１の筐体１２には、その表面に「０」から「９」の数字キー、発呼キー、リダイヤルキー、終話・電源キー、クリアキー、およびメニューキー、十字キーなど種々の操作キー１４が設けられており、操作キー１４を用いて各種指示を入力することができる。
【００１４】
第１の筐体１２には、操作キー１４として上部に十字キーと確定キーが設けられており、ユーザが十字キーを上下左右方向に操作することにより例えばカーソルを上下左右方向に移動させることができる。また、確定キーを押下することにより、種々の機能を確定することができる。
【００１５】
第１の筐体１２には、操作キー１４の下部にマイクロフォン１５が設けられており、マイクロフォン１５によって通話時のユーザの音声を集音する。
【００１６】
なお、第１の筐体１２は、背面側に図示しない再充電可能な電池（後述する図４の電池５０）が挿着されている。携帯電話機１は、終話・電源キーがオン状態になると、電池パックから各回路部に対して電力が供給されて動作可能な状態に起動する。
【００１７】
第１の筐体１２には、携帯電話機１の操作を行うサイドキー１６が設けられる。サイドキー１６は、携帯電話機１が開状態および閉状態のときに第１の筐体１２の内部方向に押下されることによって、それぞれ処理が割り当てられている。
【００１８】
第２の筐体１３には、その正面にメインディスプレイ１７が設けられており、電波の受信状態、電池の残量レベルがアイコンで表示される他、電子メールの内容、簡易ホームページなどを表示することができる。なお、メインディスプレイ１７は、例えばＬＣＤ（Ｌｉｑｕｉｄ  Ｃｒｙｓｔａｌ  Ｄｉｓｐｌａｙ）、有機ＥＬディスプレイ（ＥｌｅｃｔｒｏＬｕｍｉｎｅｓｃｅｎｃｅ  Ｄｉｓｐｌａｙ）、無機ＥＬディスプレイ（ｉｎｏｒｇａｎｉｃ  ｅｌｅｃｔｒｏＬｕｍｉｎｅｓｃｅｎｃｅ  Ｄｉｓｐｌａｙ）により構成されるディスプレイである。
【００１９】
また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。テレビ電話通話時には、このスピーカから通話相手の音声が出力される。
【００２０】
図２は、本発明に係る携帯端末装置の一例である折りたたみ式携帯電話機の他の外観の構成を示す図である。図２の携帯電話機１は、図１の携帯電話機１の状態から矢印Ｘ方向に回動させた閉状態である。なお、図２（Ａ）は、携帯電話機１が閉状態のときの正面から見た外観の構成を表しており、図２（Ｂ）は、携帯電話機１が閉状態のときの側面から見た外観の構成を表している。
【００２１】
第２の筐体１３の上部には、外部ＣＣＤカメラ２０が設けられており、これにより、所望の撮影対象を撮影することができる。
【００２２】
外部ＣＣＤカメラ２０の下部には、例えばＬＣＤで構成されるサブディスプレイ２１が設けられており、現在時刻、電波の受信状態および電池の残量レベルがアイコンで表示される。
【００２３】
図３は、本実施形態における携帯電話機の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。
【００２４】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２５】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとに対してそれぞれ復号処理を行う。
【００２６】
例えば、圧縮伸張処理部３７のビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、外部ＣＣＤカメラ２０により撮像された動画像データに関しても、図示せぬビデオＲＡＭを介してメインディスプレイ１７に表示させることも可能である。
【００２７】
圧縮伸張処理部３７は、制御部４１から出力されたディジタル動画像信号を圧縮符号化する。そして、圧縮伸張処理部３７は、動画像データを図示せぬ多重分離部で所定の伝送フォーマットに従って多重化した後にパケット化し、パケット化後の送信パケットデータをＣＤＭＡ信号処理部３６に出力する。
【００２８】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００２９】
さらに、携帯電話機１には、現在の正確な時刻を測定する時計回路（タイマ）４７が設けられている。
【００３０】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３１】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。
【００３２】
電源回路部４４には、ＡＣアダプタ４３が接続される。電源回路部４４は、外部から供給された電力を蓄電池に充電して携帯電話機１内部で使用する直流電圧を内部電源へ供給する。また、電源回路部４４に備えられたディジタル変換された電池の電圧値情報を制御部４１へ供給する。
【００３３】
図４は、本実施形態における携帯電話機に備えられた電源回路部の構成を示す図である。電源回路部４４は、ダイオード５１と、再充電可能な電池５０と、定電圧電源回路５２とで構成される。
【００３４】
ダイオード５１は、ＡＣアダプタ４３からの直流電力を、電池５０を含む携帯電話機１の各部に供給するとともに、再充電可能な電池５０からＡＣアダプタ４３への電流の流れを阻止する。
【００３５】
再充電可能な電池５０は、ＡＣアダプタ４３からの電源供給がなくなった場合に、携帯電話機１の各部に供給する電源となる電池である。電池５０は、ニッカド、ニッケル水素、リチウムなど各種の再充電可能な電池（蓄電池）を用いることができる。
【００３６】
定電圧電源回路５２は、電池５０からの電圧を一定の電圧に保って、携帯電話機１の各部へ供給する電源回路である。
【００３７】
図５は、本実施形態における携帯電話機の制御部により実行することができる機能的な構成を概略的に示した機能ブロック図である。制御部４１は、電圧値検出部６０と、残量レベル取得部６１と、減少時間計測部６２と、減少時間算出部６３と、減少時間取得部６４と、通知部６５と、減少時間記憶部６６とを備える。
【００３８】
電圧値検出部６０は、電源回路部４４から供給された電池５０の電圧値を検出する電圧値検出手段として機能する。電圧値は、あらかじめ設定された上限電圧Ｖｈから下限電圧Ｖｌの範囲で検出される。
【００３９】
残量レベル取得部６１は、電圧値検出部６０により検出された電圧値に対応する残量レベルを取得する。また、残量レベル取得部６１は、メインディスプレイ１７およびサブディスプレイ２１に、電池５０の残量レベルを示すアイコンを表示させる。
【００４０】
残量レベルは、電池の上限電圧Ｖｈに対する電圧値の割合に基づき、複数の段階に分けて設定される。例えば、残量レベルは、下限電圧Ｖｌである場合をレベル０、０％〜１０％である場合をレベル１、１０％〜３０％である場合をレベル２、３０％〜１００％(満充電時）である場合をレベル３として設定される。この残量レベルは一例であって、二以上であれば少ない段階数であっても多い段階数であってもよい。
【００４１】
減少時間計測部６２は、残量レベル取得部６１が取得した残量レベルが、第一の残量レベルになった時から、このレベルよりも低い残量を表す第二の残量レベルへ遷移した時までの時間をレベル減少時間として計測する減少時間計測手段として機能する。例えば、減少時間計測部６２は残量レベルがレベル３になった時からレベル２に遷移した時までの時間や、レベル３になった時からレベル１に遷移した時までの時間、レベル２になった時からレベル１に遷移した時までの時間などを計測する。
【００４２】
残量レベルが「第一の残量レベルになった時」とは、電圧値が第一の残量レベルに設けられた電圧値の割合の範囲の上限値となり、かつ電圧値が減少を開始した時をいう。
【００４３】
例えば、レベル３になった時とは、ＡＣアダプタ４３からの電源供給により充電された電池５０が満充電の状態となり、かつ電圧値検出部６０から供給される電圧値が減少を開始した時をいう。なお、電池５０は、電圧値がＡＣアダプタ４３からの電源供給がなくなった場合に、携帯電話機１に電源を供給するため電圧値の減少を開始する。
【００４４】
また、「第二の残量レベルに遷移した時」とは、残量レベル取得部６１から供給された残量レベルが、第二の残量レベルよりも一つ高い残量レベルから、第二の残量レベルへ遷移した時をいう。例えば、レベル２に遷移した時とは、残量レベルがレベル３である状態から、レベル２に遷移した時をいう。
【００４５】
減少時間算出部６３は、残量レベルが第一の残量レベルから第二の残量レベル以外の残量レベルに遷移した場合において、第一の残量レベルになった時から第二の残量レベルへ遷移する時までの時間を算出する減少時間算出手段として機能する。つまり、減少時間算出部６３は、残量レベルが第一の残量レベルから第二の残量レベルに遷移せず、減少時間計測部６２が減少時間取得期間内においてレベル減少時間を計測できなかった場合にレベル減少時間を算出する。減少時間取得期間とは、減少時間取得部６４により継続してレベル減少時間の取得が行われる期間として、あらかじめ任意に設定された期間である。
【００４６】
レベル減少時間が計測できなかった場合とは、残量レベルが第一の残量レベルになった後、第二の残量レベルへ遷移する前に、第一の残量レベルまたは第一の残量レベルよりも高い残量レベルへ遷移した場合や、第一の残量レベルから第二の残量レベルに遷移する前に減少時間取得期間が経過した場合が該当する。例えば、レベル３からレベル２に遷移することなく減少時間取得期間が経過した場合である。
【００４７】
減少時間算出部６３は、例えば、残量レベルがレベル３になった時から、減少時間取得期間の経過時までの時間および経過時の電圧値の減少率に基づき、レベル２に遷移するまでの時間を算出する。
【００４８】
減少時間取得部６４は、減少時間計測部６２および減少時間算出部６３により計測または算出されたレベル減少時間を取得し、記憶部４２に設けられた減少時間記憶部６６に記憶する。減少時間取得部６４は、例えば３日間に設定された減少時間取得期間内において、継続してレベル減少時間を取得し、減少時間記憶部６６に記憶する。
【００４９】
減少時間取得部６４は、取得したレベル減少時間が減少時間記憶部６６に記憶されたレベル減少時間よりも短い場合に、最短のレベル減少時間の更新を行う。減少時間取得部６４は、この最短のレベル減少時間をレベル減少時間として通知部６５に供給する。最短の減少時間をレベル減少時間として供給することで、ユーザに通知する減少予定時刻よりも早い時刻に電池５０の残量レベルが減少することを回避することができる。
【００５０】
また、減少時間取得部６４は、減少時間記憶部６６に記憶された、減少時間取得期間内において取得した全てのレベル減少時間より、レベル減少時間の平均値を求め、これをレベル減少時間として通知部６５に供給してもよい。
【００５１】
通知部６５は、減少時間取得部６４より供給されたレベル減少時間に基づき、残量レベルが第一の残量レベルになった時の時刻から、レベル減少時間が経過する時刻の所定時間前に通知を行う予定時刻通知手段として機能する。つまり、第二の残量レベルに遷移する予定時刻の通知を行う。
【００５２】
通知部６５は、減少予定時刻の通知を行うため、減少時間取得部６４から取得したレベル減少時間および時計回路４７を参照し、残量レベルが第一の残量レベルになった時の時刻から、レベル減少時間が経過する減少予定時刻を取得する。通知部６５は、この減少予定時刻よりも、あらかじめ設定された予告時期だけ前となる時刻に減少予定時刻の通知を行う。
【００５３】
減少予定時刻の通知は、例えばメインディスプレイ１７およびサブディスプレイ２１である表示手段に、減少予定時刻や電池５０の充電を推奨する旨をポップアップ表示したり、スピーカからアラーム音を出力したり、バイブレーションを作動することにより行われる。
【００５４】
また、通知部６５は、電圧値検出部６０より電池５０の電圧値を取得し、減少時間取得部６４が減少予定時刻の通知を行った後においても電圧値が増加しない場合には、減少予定時刻の再通知を行う。さらに、通知部６５は減少予定時刻の通知を行った後、減少予定時刻を経過しても電圧値が増加しない場合には、減少予定時刻が経過した旨の通知を行う時刻経過通知手段として機能する。
【００５５】
減少予定時刻の再通知および減少予定時刻が経過した旨の通知は、例えばメインディスプレイ１７およびサブディスプレイ２１に、通知をポップアップ表示したり、スピーカからアラーム音を出力したり、バイブレーションを作動することにより行われる。
【００５６】
なお、減少時間取得期間と、減少予定時刻の予告時期と、減少予定時刻の再通知時期および回数と、減少予定時刻経過の通知時期とは、ユーザの使用状況や生活環境に応じて任意に設定可能に構成される。
【００５７】
ここで、本実施形態における携帯電話機１の第二の筐体１３に設けられたメインディスプレイ１７およびサブディスプレイ２１には、残量レベル取得部６１により電池５０の残量レベルがアイコンで表示される。
【００５８】
図６は、本実施形態における携帯電話機のメインディスプレイおよびサブディスプレイにおける残量レベルアイコンの表示例を示す図である。
【００５９】
図６（Ａ）は、電池５０の電圧値が下限電圧Ｖｌであるレベル０である場合を示すアイコンである。図６（Ｂ）は、電池５０の電圧値が上限電圧Ｖｈに対し０〜１０％であるレベル１である場合を示すアイコンである。図６（Ｃ）は、電池５０の電圧値が上限電圧Ｖｈに対し１０〜３０％であるレベル２である場合を示すアイコンである。図６（Ｄ）は、電池５０の電圧値が上限電圧Ｖｈに対し３０〜１００％であるレベル３（満充電時）である場合を示すアイコンである。
【００６０】
このようなアイコン表示される残量レベルは、電池５０の電圧値に基づき取得される。しかし、大まかな目安はわかるものの、残量レベルがレベル３からレベル２に遷移するタイミングや、レベル３からレベル１に遷移するタイミングについては、このアイコン表示された残量レベルからは判別することはできなかった。このため、残量レベルがレベル３であると表示されていたとしても、突然レベル２に遷移してしまう場合もあり、ユーザにとっては充電を行うタイミングが判別しにくいという課題があった。
【００６１】
また、残量レベルが変化するタイミングは、ユーザの携帯電話機の使用状況や電池５０の経年劣化により変動する。さらに、携帯電話機の使用状況は、ユーザの生活環境によっても随時変動するものである。
【００６２】
本実施形態における携帯電話機１は、携帯電話機１の使用状況に応じたレベル減少時間を取得し、これを反映して残量レベルの減少予定時刻をユーザに通知することができる。
【００６３】
本実施形態における携帯電話機１の制御部４１の処理に基づいて実行されるレベル減少時間取得処理について説明する。レベル減少時間取得処理は、レベル減少予定時刻処理を実行する際に用いられるレベル減少時間を取得する処理である。
【００６４】
図７は、本実施形態における携帯電話機の制御部の指示に基づき実行されるレベル減少時間取得処理を示すフローチャートである。
【００６５】
レベル減少時間取得処理は、ユーザにより減少予定時刻通知処理を行う設定がなされた後に実行される。本実施形態におけるレベル減少時間取得処理および減少予定時刻通知処理においては、第一の残量レベルをレベル３、第二の残量レベルをレベル２に適用して説明する。
【００６６】
ステップＳ１において、制御部４１の指示に基づき、減少時間計測部６２は、ＡＣアダプタ４３からの電源供給により充電された電池５０が満充電され、かつ電圧値検出部６０から供給される電圧値が減少を開始したか否かの判定を行う。
【００６７】
減少時間計測部６２により、電池５０が満充電されていない、または満充電されたが電圧値が減少を開始していないと判定された場合、処理を待機する。
【００６８】
一方、減少時間計測部６２により、電池５０が満充電され、かつ電圧値が減少を開始したと判定された場合、ステップＳ２において、減少時間計測部６２は、レベル減少時間の計測を開始する。
【００６９】
減少時間計測部６２は、残量レベル取得部６１が取得した残量レベルおよび電圧値検出部６０が検出した電圧値に基づき、レベル減少時間を計測する。具体的には、レベル３になった時から、残量レベル取得部６１から供給された残量レベルが、レベル２に遷移した時までの時間を計測する。
【００７０】
ステップＳ３において、減少時間計測部６２は、電池５０の残量レベルがレベル３からレベル２に遷移したか否かを判定する。減少時間計測部６２は、残量レベル取得部６１より供給された残量レベルがレベル３を維持していると判定した場合、ステップＳ４において、減少時間取得期間を経過しているか否かの判定を行う。
【００７１】
減少時間取得期間は、減少時間取得部６４により、レベル減少時間の取得が継続して行われる期間としてあらかじめ設定された期間であり、例えば３日間のように設定される。
【００７２】
減少時間計測部６２は、減少時間取得期間内であると判定した場合、レベル遷移判定ステップＳ３に戻り、以降の処理を実行する。
【００７３】
一方、減少時間計測部６２は、減少時間取得期間が経過したと判定した場合、ステップＳ５において、減少時間算出部６３は、レベル減少時間の算出を行う。
【００７４】
減少時間算出部６３は、残量レベルがレベル３になった時から、減少時間取得期間の経過時までの時間および経過時の電圧値の減少率に基づき、レベル２に遷移するまでの時間をレベル減少時間として算出する。レベル減少時間の算出は、これに限らず他の方法を用いて算出してもよい。
【００７５】
算出されたレベル減少時間は、減少時間取得部６４に供給され、減少時間取得部６４はこのレベル減少時間を減少時間記憶部６６に記憶する。
【００７６】
レベル遷移判定ステップＳ３において、減少時間計測部６２は、残量レベルがレベル２に遷移したと判定した場合、ステップＳ６において、レベル減少時間の計測を終了し、計測したレベル減少時間を減少時間取得部６４に供給する。
【００７７】
ステップＳ７において、減少時間取得部６４は、減少時間計測部６２より供給されたレベル減少時間を減少時間記憶部６６に記憶する。また、取得したレベル減少時間が、すでに減少時間記憶部６６に記憶されているレベル減少時間よりも短かった場合、最短のレベル減少時間を更新する。
【００７８】
ステップＳ８において、減少時間取得部６４は、減少時間取得期間が経過したか否かの判定を行う。減少時間取得部６４は、減少時間取得期間である例えば３日間が経過していないと判定した場合、満充電判定ステップＳ１に戻り、以後の処理を繰り返す。
【００７９】
一方、減少時間取得部６４は、減少時間取得期間が経過したと判定した場合、ステップＳ９において、減少時間取得部６４は、レベル減少時間を通知部６５に供給する。このとき通知されるレベル減少時間は、減少時間記憶・更新ステップＳ７において減少時間記憶部６６に記憶された最短のレベル減少時間である。または、レベル減少時間算出ステップＳ５において、減少時間算出部６３により算出され、減少時間取得部６４により減少時間記憶部６６に記憶されたレベル減少時間である。レベル減少時間は、例えば「１２時間」のように取得される。以上でレベル減少時間取得処理は終了する。
【００８０】
次に、レベル減少時間取得処理により取得したレベル減少時間に基づき実行される減少予定時刻通知処理について説明する。
【００８１】
図８は、本実施形態における携帯電話機の制御部の指示に基づき実行される減少予定時刻通知処理を示すフローチャートである。
【００８２】
この減少予定時刻通知処理は、ユーザにより減少予定時刻通知処理を行う設定がなされた後に実行される。
【００８３】
ステップＳ１１において、制御部４１の指示に基づき、通知部６５は、ＡＣアダプタ４３からの電源供給により充電された電池５０が満充電され、かつ電圧値検出部６０から供給される電圧値が減少を開始したか否かの判定を行う。通知部６５により、電池５０が満充電されていない、または満充電されたが電圧値が減少を開始していないと判定された場合、処理を待機する。
【００８４】
一方、通知部６５により、電池５０が満充電され、かつ電圧値が減少を開始したと判定された場合、ステップＳ１２において、通知部６５は、残量レベルがレベル３からレベル２に遷移する減少予定時刻の通知時刻を取得する。
【００８５】
通知部６５は、減少予定時刻を取得するため減少時間取得部６４より供給されたレベル減少時間および時計回路４７より取得した現在の時刻に基づき、残量レベルがレベル２に遷移する時刻であるである減少予定時刻を取得する。例えば、レベル減少時間が１２時間であり、現在時刻が８：００であった場合、減少予定時刻となる２０：００を取得する。
【００８６】
また、通知部６５は、減少予定時刻の通知時刻を、あらかじめ設定された予告時期に基づき取得する。予告時期が例えば５時間に設定されている場合、通知部６５は、減少予定時刻の５時間前の１５：００を減少予定時刻の通知時刻として取得する。
【００８７】
ステップＳ１３において、通知部６５は、減少予定時刻の通知時刻を経過したか否かの判定を行う。通知部６５は、例えば通知時刻取得ステップＳ１２において通知時刻として取得した１５：００を経過していないと判定した場合、通知時刻が経過するまで処理を待機する。
【００８８】
一方、通知部６５は通知時刻が経過したと判定した場合、ステップＳ１４において減少予定時刻を通知する。減少予定時刻の通知は、例えばメインディスプレイ１７およびサブディスプレイ２１に、減少予定時刻や電池５０の充電を推奨する旨をポップアップ表示したり、スピーカからアラーム音やバイブレーションを出力することにより行われる。
【００８９】
図９は、メインディスプレイに表示された減少予定時刻の通知をポップアップにより行う場合の表示例を示す図である。図９に示すように、減少予定時刻は、推奨充電時刻として、「４月１５日１５：００」のように表示され、ユーザに対して電池５０の充電を促す。また、減少予定時刻が、いかなる期間において取得された減少予定時刻であるかをユーザに通知する。例えば、通知部６５は、「過去３日間の使用による予測」のように表示する。
【００９０】
ステップＳ１５において、通知部６５は、減少予定時刻の通知後、電池５０の充電が行われたか否かの判定をおこなう。充電が行われたか否かの判定は、例えば電圧値検出部６０より取得した電池５０の電圧値が増加したか否かにより判定する。
【００９１】
通知部６５は、電池５０の充電が行われていると判定した場合、減少予定時刻通知処理は終了する。
【００９２】
一方、通知部６５は電池５０の充電が行われていないと判定した場合、ステップＳ１６において、減少予定時刻の再通知を行う。減少予定時刻の再通知は、あらかじめ設定された間隔、例えば１０分間隔で行われる。減少予定時刻の再通知は、例えば図９に示すようなポップアップをメインディスプレイ１７に表示することにより行われる。
【００９３】
ステップＳ１７において、通知部６５は、通知時刻取得ステップＳ１２において取得した減少予定時刻を経過したか否かの判定を行う。通知部６５は、減少予定時刻が経過していないと判定した場合、充電判定ステップＳ１５に戻り、以降の処理を繰り返す。
【００９４】
一方、通知部６５は、減少予定時刻が経過したと判定した場合、ステップＳ１８において、減少予定時刻が経過した旨の通知を行う。この通知は、例えばメインディスプレイ１７およびサブディスプレイ２１に、電池５０の充電を推奨する時刻が経過した旨をポップアップ表示したり、スピーカからアラーム音やバイブレーションを出力することにより行われる。
【００９５】
なお、減少予定時刻の再通知および減少予定時刻が経過した旨の通知を行うか否かは、ユーザにより任意に設定することができるようにしてもよい。以上で、減少予定時刻通知処理は終了する。
【００９６】
なお、制御部４１は、減少予定時刻通知処理を行う設定がなされている期間は、レベル減少時間取得処理および減少予定時刻通知処理を繰り返して実行させる。
【００９７】
この携帯電話機１によれば、電池５０の残量の変化を監視することにより、個々のユーザの使用状況や生活環境、電池５０の経年劣化を反映したレベル減少時間を随時取得することができる。
【００９８】
さらに、このように取得されたレベル減少時間に基づき、ユーザに充電の推奨時期を通知するため、より正確な時期に通知を行うことができる。
【００９９】
さらにまた、メインディスプレイ１７などに常時表示された電池５０の残量レベルの遷移に基づき、レベル減少時間を取得し、かつユーザに充電の推奨時期を通知するため、残量レベルのみでは判別することが困難であった充電の好適なタイミングを認識することができる点でも有効である。
【０１００】
また、ユーザによって減少時間取得期間を任意に設定可能に構成することで、よりユーザの使用頻度や生活環境などに適したレベル減少時間を取得することができる。また、ユーザによって減少予定時刻を通知する予告時期についても任意に設定可能に構成することで、ユーザの充電可能な環境に対応して好適に通知を行うことができる。
【０１０１】
なお、本実施形態における携帯電話機１において実行されるレベル減少時間取得処理および減少予告時刻通知処理は、メインディスプレイ１７などに常時表示される電池５０の残量レベルの遷移に基づき、レベル減少時間を取得し減少予定時刻の通知を行ったが、これに限らず電圧値に複数の基準値を設け、その基準値間における電圧値の遷移を監視して、電圧値の減少時間を取得し減少予定時刻の通知を行ってもよい。
【０１０２】
また、残量レベル取得部６１により実行される処理は、電圧値検出部６０において実行させてもよい。
【０１０３】
さらに、本発明は、携帯電話機１以外にも、ＰＤＡ（Personal Digital Assistant）、パーソナルコンピュータ、携帯型ゲーム機、携帯型音楽再生機、携帯型動画再生機、その他の携帯端末装置にも適用することができる。
【０１０４】
さらにまた、本発明の実施形態において説明した一連の処理は、ソフトウェアにより実行させることもできるが、ハードウェアにより実行させることもできる。
【図面の簡単な説明】
【０１０５】
【図１】本発明に係る携帯端末装置の一例である折りたたみ式の携帯電話機の外観の構成を示す図。
【図２】本発明に係る携帯端末装置の一例である折りたたみ式携帯電話機の他の外観の構成を示す図。
【図３】本実施形態における携帯電話機の内部の構成を示す図。
【図４】本実施形態における携帯電話機に備えられた電源回路部の構成を示す図。
【図５】本実施形態における携帯電話機の制御部により実行することができる機能的な構成を概略的に示した機能ブロック図。
【図６】本実施形態における携帯電話機のメインディスプレイおよびサブディスプレイにおける残量レベルアイコンの表示例を示す図。
【図７】本実施形態における携帯電話機の制御部の指示に基づき実行されるレベル減少時間取得処理を示すフローチャート。
【図８】本実施形態における携帯電話機の制御部の指示に基づき実行される減少予定時刻通知処理を示すフローチャート。
【図９】本実施形態における携帯電話機のメインディスプレイに表示された減少予定時刻の通知をポップアップにより行う場合の表示例を示す図。
【符号の説明】
【０１０６】
１  携帯電話機
１１  ヒンジ部
５０  電池
１７  メインディスプレイ
２１  サブディスプレイ
４１  制御部
４３  ＡＣアダプタ
４４  電源回路部
４７  時計回路
５１  ダイオード
５２  定電圧電源回路
６０  電圧値検出部
６１  残量レベル取得部
６２  減少時間計測部
６３  減少時間算出部
６４  減少時間取得部
６５  通知部
６６  減少時間記憶部
【図１】
0005200671.tif 000002
【図２】
0005200671.tif 000003
【図３】
0005200671.tif 000004
【図４】
0005200671.tif 000005
【図５】
0005200671.tif 000006
【図６】
0005200671.tif 000007
【図７】
0005200671.tif 000008
【図８】
0005200671.tif 000009
【図９】
0005200671.tif 000010